(57)【要約】【課題】  空間に充満する無限の新エネルギーを電力として導き出す電力生成法を提供するにある。【解決手段】  変圧器に観る基本的電磁誘導作用で、初期時に於ける、瞬時二次出力負荷電流の発現を、因果的に新エネルギーの発現現象とみる理念から、自発的発現電流とする二次出力電流による電磁的誘導力をもって、入力電源エネルギーの導入に踏み込めなくする技術的電磁回路構成の必要から、正弦波三相交流電源の入力を得る、Ｙ−△結線変圧器の二次側１巻線回路と△−Ｙ結線変圧器の二次側１複合巻線回路とで形成出来る無電圧構成回路に、電気的出力の場に於ける、選定によるＮ相波を持たせた交流出力電流を導通し、入力三相交流電源のＮ相回路に、プラス帰環交流Ｎ相電流を誘発させる展開へと導く工程を特徴とする。【選択図】図１
2008022689.tif 000002
【特許請求の範囲】
【請求項１】
正弦波三相交流電源の入力を得る、Ｙ−△結線の二次側１巻線回路と△−Ｙ結線の二次側１複合巻線回路とで形成出来る無電圧構成回路に、無電圧構成回路が内包する入力電源交流相の二相波の内、相順位の下位にあるＮ相波を持たせた交流出力電流を導通し、入力三相交流電源のＮ相回路に、プラス帰環交流Ｎ相電流を誘発させる事を特徴とする新エネルギーによる電力生成法。
【発明の詳細な説明】
【技術の分野】
【０００１】  本発明は、物質の変換エネルギーから電力を得る従来の方式から逸脱し、空間に存在する無限のエネルギー（宇宙、真空、又はフリーエネルギーとも言われる。）をエネルギー源とした電力生成法に関するものである。
【背景技術】
【０００２】  本発明の電力生成法は、従来の電気回路技術の更なる発展の基に開発を進めてきたものであり、特に参考とする従来の技術背景はないが、探求の動機としているのは、現在に於ける世界のエネルギー事情から、多くの研究者による宇宙エネルギー利用の開発情報にある。例えば、既にスイス国では１９８９年からフリーエネルギー国際会議、アメリカ国では（１９９１年）第２６回エネルギー変換工学会議（ＩＥＣＥＣ）に於いて、宇宙エネルギー関連装置の研究発表がなされている。最近情報では、ロシア科学者グループが、伝統的エネルギー発生方式から逸脱したエネルギー技術の開発を、「光のテクノロジー」として推し進めている。（ロシア、プラウダオンライン、２００１年９月）又、最近の宇宙物理学分野に於いても、実験を以て真空エネルギーの存在が確認されている所である。（この情報源、２００４年ＮＨＫ放映・宇宙への大紀行）【０００３】  本発明を開発するに当たっての思念的技術背景は、従来の電磁理論で説明される変圧器作用の更なる追及にある。この世界で経験する通常の事象では、因果律に従って進行している。電磁理論で述べられる変圧器作用も、同様の見解を以て矛盾のない説明が望まれる。
従来では、一次入力巻線回路、及び二次出力巻線回路を設けた通常の変圧器に於いて、（電源の入力有り。）今、二次出力巻線両端子に負荷Ｒを接続すれば、即座に二次負荷電流（ｉ−１）が流れようとする。そこで変圧器内の相互誘導作用の働きにより、一次入力巻線回路に一次誘導電流（ｉ−２）が導入されることで、電気的エネルギーの均衡が保たれて安定する。との説明に止どまり、自然界のエネルギーが関与する理論的な説明は得られていなかった。
文中の電流値としているｉ記号は、以下の説明文に於いても常時変化する交流電流値の総称として示している。同様に、交流電圧値並びに交流電力値の記号も比較上の総称としている。【０００４】  本発明の理念は、変圧器作用の因果的過度現象を重視する所から、二次出力負荷電流（ｉ−１）の発生初期に注目すると、初期の出力負荷電流（ｉ−１）は、入力電源電流でもある一次誘導電流（ｉ−２）に対して、瞬時的に先行する発現電流である事は明白であり、過度的に入力電源エネルギーとは関わらない、自発的電気現象と観なければならない、としている。この自発的電気現象は、自然界に存在するエネルギーの発現として理解すると共に、空間に充満するエネルギー（宇宙エネルギー）の存在を肯定する事で、容易に受け入れられるもので、自然界から出現するエネルギー的現象は、自然法則そのものであるとして，これを本発明への基本概念としている。
【発明の開示】
【発明が解決しようとする課題】
【０００５】  本発明は、上記の空間に充満するエネルギーを、無尽蔵の新エネルギー源として掲げ、技術的な電気回路の構成法を介して電力として導き出すために、従来の限られた電磁誘導方式から脱却する事を目指して、自発的発現電流とする二次出力負荷電流による電磁的誘導力をもって、入力電源エネルギーの導入へと踏み込めなくする、技術的構成方法を目的とする事により、新エネルギーが電力に変換していることを確証付ける、電力生成法を提供するにある。
【課題を解決するための手段】
【０００６】  本発明は、上記の目的を達成する為に、正弦波三相交流電源（Ｐ）の入力を得る、Ｙ−△結線（変圧器）の二次側１巻線回路と△−Ｙ結線（変圧器）の二次側１複合巻線回路とで形成出来る無電圧構成回路Ｇに、電気的出力の場に於ける交流出力Ｎ相電流を導通し、入力電源（Ｐ）のＮ相回路にプラス帰環交流Ｎ相電流を誘発させる工程を手段としている。
従って入力交流電源電力の導入に頼らない電気的出力が電磁的回路構成法から得られるものである。        文中のＮ相電流のＮとは、入力電源（Ｐ）の三相の内、その無電圧構成回路Ｇに関わりのある一相波の名称としている。【０００７】  次に、具体的手段とする交流回路の電磁回路構成の説明に入るが、文脈の複雑さを避ける為に、接頭語となる交流の単語を多く省略している事を御断りする。【０００８】  まず新エネルギーを、単相出力の電力として得る電磁回路構成について述べる。新エネルギーを１相波電力として得る為に、２出力端子を備えた二次出力巻線回路Ｄを設ける。
次に出力巻線回路Ｄの交流電圧を２ｅ、電圧相波がＳ相となるように、入力正弦波三相交流電源Ｐより得る。入力三相電源Ｐの線路間電圧はｅ、相順位は、Ｒ，Ｓ，Ｔである。【０００９】  次に無電圧構成回路Ｇを形成する。無電圧回路構成Ｇは以下の回路構成より成り立っている。三相電源Ｐの入力を得るＹ−△結線の二次出力巻線回路に於ける、入力三相電源Ｐの二相波（Ｒ相とＳ相）を内包（合成）している相波をもつ二次Ｖ相巻線回路と、同じく三相電源Ｐの入力を得る△−Ｙ結線の二次出力複合巻線回路に於ける、入力三相電源Ｐの二相波（Ｒ相とＳ相）を内包（合成）している相波をもつ二次ＳＲ相複合巻線回路とに於いて、両回路（Ｖ相とＳＲ相回路）の各端子間電圧を巻数にて合わせる（ＳＲ相複合巻線回路の各巻線数を１Ｌ、Ｖ相巻線回路の巻線数を３Ｌとする。）と共に、位相的に同調（同相）しているので、二次両回路（Ｖ相回路とＳＲ相の回路）間に於ける、互いの相波電圧が向かい合う様に対抗的直列接続Ｆを行えば、その両端子間電圧がゼロ（無電圧）となる、無電圧構成回路Ｇが成立する。ここでは無電圧構成回路Ｇの両端は解放している。
（対抗的直列接続Ｆとは、対抗的な直列接続をする事で、無電圧回路として成立する文章上の用語としている。）【００１０】  次に二次Ｖ相回路と二次ＳＲ相回路の対抗的直列接続Ｆにて構成される無電圧構成回路Ｇに、Ｓ相波をもつ二次（原）交流電流ｓｉを導通する。その結果、二次Ｖ相回路を設けているＹ−△結線の一次巻線回路ｈ、及び二次ＳＲ相回路を設けている△−Ｙ結線の一次巻線回路ｊに、二次（原）Ｓ相交流電流ｓｉを起因とする一次Ｓ相誘導電流ｓｉが誘発して、三相交流入力電源ＰのＲ相回路、及びＳ相回路に流動する。この流動する一次Ｓ相誘導電流ｓｉに於いては、その電気的流動方向によって、入力電源（Ｐ）回路に対して、プラス帰環電流ｓｉ側になるか、又は消費電流ｓｉ側になるかが定まるので、ここで重要な電気的作業工程が必要となる。
文中の電流ｓｉのｓ記号は、Ｓ相波の電流ｉであることを示している。また、二次（原）交流電流ｓｉの（原）は、他の電流ｓｉと区別する記号である。【００１１】  仮に該無電圧構成回路Ｇを構成する単独の二次ＳＲ相回路に負荷電流ｓｒｉ（自発的発生電流ｓｒｉ）が発生すれば、相互誘導作用により、一次側入力電源（Ｐ）Ｒ相回路、及びＳ相回路には負荷消費成分電流ｘｓｒｉ（ｘ記号は定数）が誘発する。そこで今、前記単独の二次ＳＲ相回路に発生し流動する負荷電流ｓｒｉの電気的方向をＱと示し、外部から二次ＳＲ相回路に対して、マイナスＱの方向に電流ｓｒｉを流すべき導通をする時、一次側入力電源ＰのＲ相回路、及びＳ相回路にはプラス成分帰環電流ｘｓｒｉが誘発し流動する結果となる。
従って本発明による電気的作業工程は、該無電圧構成回路Ｇに導通する二次（原）Ｓ相交流電流ｓｉの電気的導通方向を、組み込まれている二次ＳＲ相回路に対して、マイナスＱの電気的方向Ｅとなる様に設定する。この設定は、一連の二次Ｖ相回路に対してもマイナスＱの電気的方向Ｅとなっている。【００１２】  そこで、二次ＳＲ相回路に対して上記の電気的方向Ｅの設定により、一次側入力電源ＰのＳ相回路に流動する一次Ｓ相誘導電流ｓｉは、一次側入力電源ＰのＳ相回路側から観て、元来二次（原）Ｓ相電流ｓｉに誘導されている正確な一次Ｓ相誘導電流ｓｉである事から、位相の正確（同相）な一次正プラス帰環Ｓ相誘導電流ｓｉと成っている。
一次側入力電源ＰのＲ相回路に流動する一次Ｓ相誘導電流ｓｉは、一次側入力電源ＰのＲ相回路側から観て、電気角６０度（正プラス帰環Ｒ相誘導電流を前提とした６０度、または遅相電気角１２０度の位相差）の位相差にある一次プラス帰環Ｒ相成分誘導電流ｓｉと成っている。【００１３】  次に該無電圧構成回路Ｇに組み込まれている二次Ｖ相回路に於いて説明する。二次Ｖ相回路のＶ相波も入力電源Ｐの電圧相波にあるＲ相とＳ相の合成相波であるが、二次Ｖ相回路と、その一次巻線回路ｈとの構成がＹ−△結線にある構成的相違から、まず上記の電気的方向Ｅの設定を受けて、一次巻線回路ｈにも同じく一次Ｓ相誘導電流ｓｉが誘発して、三相交流入力電源ＰのＳ相回路に対しては、一次正プラス帰環Ｓ相誘導電流ｓｉとなって流動するが、三相交流入力電源ＰのＲ相回路側から観た一次Ｓ相誘導電流ｓｉは、電気角６０度の位相差（進相電気角６０度）にある一次消費Ｒ相成分誘導電流ｓｉとなって流動する。              参照図として図２と図３を示す。  文中の成分電流とは、入力電源Ｐの単相波電圧回路から観て、位相差にある電流を含む電流形態としている。【００１４】  ここで三相交流入力電源（Ｐ）回路であるＲ相回路、及びＳ相回路に流動する一次Ｓ相誘導電流ｓｉの総括を観ると、入力電源ＰのＲ相回路側から観た二流路の一次Ｒ相成分誘導電流ｓｉは、互いが逆位相にあり消滅の経過を辿る。入力電源ＰのＳ相回路側から観た二流路の一次Ｓ相誘導電流ｓｉは、加算されて正プラス帰環Ｓ相誘導電流２ｓｉとなり、電力として換算して観れば、正プラス帰環Ｓ相交流電力値として２ｅｉが得られている。
本発明の電力生成方法は、上記に説明したように、最終的には正プラス帰環電力を得る手段として電磁回路構成を設けているので、上記で用いている二次（原）Ｓ相交流電流ｓｉを二次Ｓ相出力負荷電流ｓｉとして説明すれば、二次交流出力電圧に関わらずに、正プラス帰環Ｓ相交流電力値２ｅｉが得られる事になる。この結果より、二次Ｓ相出力負荷電流ｓｉを発生させる二次（原）出力巻線回路Ｄの出力用端子間電圧を、出来る限りに低電圧となる出力巻線回路Ｄとすれば、接続負荷により発生する電力損も低く押さえられた構成により、生成電力（正プラス帰環Ｓ相交流電力２ｅｉ）を充分に獲得する、構成装置も作成出来るものである。すなわち従来の電磁誘導回路に観られる、入出力均衡のエネルギー論は、本回路構成法では成立しないものである。【００１５】  そこで、上記の二次出力巻線回路Ｄの片方の端子と、無電圧構成回路Ｇの一方の端子とを調整（電気的方向Ｅの設定）による接続を行い、よって形成される二次出力巻線構成回路としての両端子に、電気的出力の場にある負荷を接続すれば、二次Ｓ相出力負荷電流ｓｉが発生する事により、その出力電力値は、二次Ｓ相交流出力電力２ｅｉとなり、正に正プラス帰環Ｓ相交流電力値２ｅｉと等しくなる。すなわち、入力交流電源電力の導入を得る事なく負荷に電力を供給できる様相は、空間に存在する新エネルギーが、電力に変換しているものと理解する事が出来る。【００１６】  ここで該無電圧構成回路Ｇについて説明を加えると、該無電圧構成回路Ｇに対して、二次（原）Ｓ相交流電流ｓｉを導通することにより、一次巻線回路（ｈとｊ）には、正確（同相）なＳ相波を堅持した一次Ｓ相誘導電流ｓｉが誘発することは、本電気回路の構成目的である正プラス帰環電流を得るに於いては、重要な事項であり、特徴的な事である。しかし、その後一次Ｓ相誘導電流ｓｉが入力電源Ｐの各相回路に流動するに到っては、入力電源（Ｐ）相回路との位相関係に応じた呼称電流名に変移して記述しているのは適当であるとしている。
さらに、本発明の電力生成法には無電圧構成回路Ｇを重責回路として設けているのは、入力電源Ｐ回路に対して、総じて無効電力の流動を防ぐ目的にある。言い換えれば完全な無電圧構成回路Ｇでなく、無電圧的構成回路Ｇでもプラス成分帰環電流は得られるが、入力電源（Ｐ）相回路に位相差のある電流が誘発し流動する事は大きな問題であるので厳格に備えているものである。【００１７】  さらに上記の説明に於いて、無電圧構成回路Ｇに導通する二次（原）交流電流ｓｉの相電流波を選定してＳ相波にしているのは、前記同様に、入力電源（Ｐ）相回路に位相差電流の流動を防ぐ目的にある。すなわち、該無電圧構成回路Ｇを構成する二次Ｖ相（巻線）回路、及び二次ＳＲ相（巻線）回路には、入力電源Ｐの相電圧の三相波の内、共に二相波（Ｒ相波とＳ相波）を内包しているので、内包している入力電源（Ｐ）交流相の二相波（Ｒ相波とＳ相波）の内、相順位の下位にあるＳ相波を、該無電圧構成回路Ｇに導通する二次（原）交流電流のＮ相（Ｓ相）電流波とすれば、入力電源Ｐの１相（Ｓ相）回路には、正確な同相の正プラス帰環交流誘導Ｎ相（Ｓ相）電流が流動する理由にある。無電圧構成回路Ｇと、それに導通する二次（原）交流Ｓ相電流との上記関係ｋは、残る二組の無電圧構成回路「Ｕ相回路とＲＴ相回路による無電圧構成回路に対する（原）Ｒ相電流、及びＷ相回路とＴＳ相回路による無電圧構成回路に対する（原）Ｔ相電流。」にも通用するものである。【００１８】  従って、以上の説明では一相波（Ｓ相）の交流出力電力を得る生成法として、単相出力回路構成を掲げているが、三相波電力の生成に於いても、上記関係ｋを整えた回路構成を備えれば容易に実現出来るものである。
さらに上記説明では、該無電圧構成回路Ｇに対して二次（原）Ｓ相交流電流ｓｉ（または二次Ｓ相負荷電流ｓｉ）を直接「構成回路Ｇと二次（原）Ｓ相交流電流ｓｉの流動する回路との直列接続により導通する場合」導通する回路構成であるが、間接的導通とも言える誘導変圧器を介する回路構成に転換する事は自由に行える回路選択である。
【発明の効果】
【００１９】  本発明の電力生成法によれば、従来から生命活動に必要とする電力を得る方法として、地球資源の莫大な消費、それに伴う温暖化現象、並びに大がかりな発電施設の構築と共に、膨大な土地占有による環境への悪影響、又施設により大量の廃棄物処理に困惑の労働活動等、社会生活を営むに於いて、重要な位置を占める電力エネルギーの獲得には、煩わしき問題が多くあったが、ここで全ての弊害を拭い去り、新しき出発となる永遠にして真のクリーンエネルギー源を獲得出来るものである。【００２０】  本発明による構成装置の作成に於いては、装置として一体化の必要もなく、距離間のある二電磁誘導回路器を電線路で結合する構成を由とする、しなやかな構成体にて成立させる事が出来る。又、構成装置内では、三相変圧器に替えて、単相変圧器を連ねる構成に出来る利便と共に、入力交流電源電圧相波に高周波を採用すれば、変圧機器の縮小による小型電磁回路の設計にて成立する利点がある。
配電目的の装置にあれば、正プラス帰環電流を、そのまま配電線に送れる利点がある。
さらに、電力供給装置として備えれば、一相波出力電力のみでなく、三相出力電力を供給出来ると共に、各家屋に配備されれば、屋外の電柱、電線路の姿も消えて、過去の様々な災厄から免れる事が出来る。
なお、この電力供給装置は、消費、並びに廃棄物のない静止機器である事が最大の特徴であると共に、最も耐久性のある経済性の優れた電力源であり、その電力量は規模によるのみである。
【発明を実施するための最良の形態】
【実施例】
【００２１】  まず、実施例１装置は、入力交流電源電力を得る事なく出力用負荷Ｚに単相交流電力を供給する、１電磁的回路構成である。
以下、実施の形態を実施例１に基づいて図面１、２、３を参照して説明する。
図１に於いては、Ｙ−△結線変圧器４、及び△−Ｙ結線変圧器５の各入力巻線回路（各巻線巻数は１Ｌ）の電線路が、入力正弦波三相交流電源（Ｐ）の端子である１のＲ相端子、２のＳ相端子、３のＴ相端子に接続している。入力正弦波三相交流電源Ｐの端子間電圧を記号ｅで示す。              入力三相交流電源Ｐの相順位は、Ｒ，Ｓ，Ｔ．である。
Ｙ−△結線変圧器４の二次出力巻線回路側に於いては、（７と８）端子間電圧相をＵ相（８と９）端子間電圧相をＶ相、（９と７）端子間電圧相をＷ相として、各巻線数を３Ｌとしている。
△−Ｙ結線変圧器５の二次出力複合巻線回路に於いては、（１０と１１）端子間電圧相をＳＲ相、（１１と１２）端子間電圧相をＴＳ相、（１２と１０）端子間電圧相をＲＴ相として、各脚１巻線数を１Ｌとしている。両変圧器（４と５）に於ける二次出力巻線回路の各巻線数を、上記の如く定める事によって、Ｕ相とＲＴ相、及びＶ相とＳＲ相、並びにＷ相とＴＳ相回路の各端子間交流電圧が等しくなると共に、同相でもあるので、各々を無電圧構成回路の構成組として用いる事が出来る。本実施例１では、Ｖ相回路とＳＲ相回路構成組を無電圧構成回路Ｇの要回路組としている。【００２２】  まず閉回路Ｋを構成するに当たって、６は２巻線回路（１５と１６）を設けた、巻線数１対１の誘導変圧器で、１巻線回路１５の黒丸端子を、Ｙ−△結線変圧器４の二次出力回路に於けるＶ電圧相を表す一方の端子８に接続すると共に、他端子９を△−Ｙ結線変圧器５の二次出力回路に於けるＳＲ電圧相を表す一方の端子１０に接続する。さらにＳＲ電圧相を表す他端子１１を、誘導変圧器６にある１巻線回路１５の白丸端子に接続して閉回路Ｋを形成している。【００２３】  次に二次Ｓ相出力巻線回路Ｄを構成するに当たって、誘導変圧器６にある１巻線回路１６の白丸端子は、出力端子１３に接続し、出力端子１４は、△−Ｙ結線変圧器５の二次Ｓ相出力巻線２Ｌの白丸端子に接続している。他端子である二次Ｓ相出力巻線２Ｌの黒丸端子は、誘導変圧器６にある１巻線回路１６の黒丸端子に接続して、交流端子間（１３と１４）電圧２ｅを示す二次Ｓ相出力巻線回路Ｄを形成している。
文中の説明に於いて、図１に於ける巻線回路は、すべてが同一方向巻きで黒丸端子を巻き始め端子、白丸端子を巻き終わり端子としている。【００２４】  以下、実施例１に於ける動作を説明する。
実施例１に設けている二次Ｓ相出力巻線回路Ｄの出力両端子（１３と１４）間に抵抗負荷Ｚを接続する事により、発生する電流の瞬時的流路についての説明をする。
正弦波三相交流電源Ｐの入力を得ている実施例１構成回路に於いて、まず前記出力両端子（１３と１４）間に電気的出力の場にある抵抗負荷Ｚを接続する。（出力端子間電圧は２ｅ）その後、瞬時に二次Ｓ相負荷電流ｓｉが発生すると共に、二次Ｓ相負荷電流ｓｉを起因とする二次（原）Ｓ相誘導電流ｓｉが、誘導変圧器６を介して閉回路Ｋに誘起される。【００２５】  この二次（原）Ｓ相誘導電流ｓｉは、無電圧構成回路Ｇを構成する二次ＳＲ相巻線回路の出力端子１０から１１に向かって流動する。その電気的流動方向により、二次（原）Ｓ相誘導電流ｓｉを起因として、△−Ｙ結線変圧器５の一次巻線回路にはプラス帰環成分の一次誘導電流ｓｉ（１７）が誘発する。この一次誘導電流ｓｉ（１７）は入力交流電源（Ｐ）回路の一次Ｒ相（端子１と２間）電圧回路Ｏと一次Ｓ相（端子２と３間）電圧回路Ｈに流動するが、その電源回路（ＯとＨ）内に流動する相電流については図２のロ．を参照して説明する。【００２６】  一次Ｓ相電圧回路Ｈに流動する電流に於いては、一次Ｓ相電圧回路ＨのＳ相波を線図一次反転Ｓで示すと、一次Ｓ相誘導電流ｓｉは破線１７で表されているように、入力電源ＰのＳ相波電圧に対しては、正しく逆位相の電流にあるので、一次Ｓ相電圧回路Ｈに流動する一次Ｓ相誘導電流ｓｉは正プラス帰環Ｓ相誘導電流ｓｉと成っている。【００２７】  他方の一次Ｒ相電圧回路Ｏに流動する電流に於いては、一次Ｒ相電圧回路ＯのＲ相波を線図一次Ｒで示すと、破線１７で表されている一次Ｓ相誘導電流ｓｉは、線図一次Ｒで示すＲ相波電圧から観ると、逆位相からずれて、電気角６０度（正プラス帰環Ｒ相誘導電流を前提とした電気角６０度。または遅相電気角１２０度。）の位相差をもつ一次プラス帰環Ｒ相成分誘導電流ｓｉと成っている。【００２８】  つづいて二次（原）Ｓ相誘導電流ｓｉは、無電圧構成回路Ｇを構成する二次Ｖ相電圧巻線回路の出力端子８から９に向かって流動する。ここでも二次（原）Ｓ相誘導電流ｓｉを起因として、Ｙ−△結線変圧器４の一次巻線回路にはプラス帰環成分の一次Ｓ相誘導電流ｓｉ（１８）が誘発する。この一次Ｓ相誘導電流ｓｉ（１８）は入力交流電源（Ｐ）回路の一次Ｒ相（端子１と２間）電圧回路Ｏと一次Ｓ相（端子２と３間）電圧回路Ｈに流動するが、その電源回路（ＯとＨ）内に流動する電流相については図３のハ．を参照して説明する。【００２９】  一次Ｓ相電圧回路Ｈに流動する電流に於いては、一次Ｓ相電圧回路ＨのＳ相波を線図一次Ｓで示すと、一次Ｓ相誘導電流ｓｉは破線１８で表されているように、入力交流電源ＰのＳ相波電圧に対しては、正しく逆位相の電流にあるので、一次Ｓ相電圧回路Ｈに流動する一次Ｓ相誘導電流ｓｉ（１８）は正プラス帰環Ｓ相誘導電流ｓｉと成っている。【００３０】  他方の一次Ｒ相電圧回路Ｏに流動する電流に於いては、一次Ｒ相電圧回路ＯのＲ相波を線図一次Ｒで示すと、破線１８で表されている一次Ｓ相誘導電流ｓｉは、線図一次Ｒで示すＲ相波電圧から観ると、進相電気角６０度の位相差をもつ一次消費Ｒ相成分誘導電流ｓｉと成っている。【００３１】  ここで入力交流電源（Ｐ）相回路に流動する一次Ｓ相誘導電流ｓｉ（１７と１８）の総括をすると、上記の説明により、一次入力���流電源（Ｐ）Ｓ相電圧回路Ｈへは、加算されて正プラス帰環Ｓ相誘導電流２ｓｉが流れる。【００３２】  他方の一次入力交流電源（Ｐ）Ｒ相電圧回路Ｏへは、上述しているように図２のロ．及び図３のハ．の線図一次Ｒ（Ｐ電源電圧Ｒ相波）に対しては、互いが逆位相の一次Ｒ相成分誘導電流ｓｉ（１７と１８）となっているので、消滅の経過を辿る。従って、入力交流電源（Ｐ）相電圧回路に流動する電流は、Ｓ相電圧回路（端子１と２間）Ｈへ流動する正プラス帰環誘導電流２ｓｉのみであり、電力的に換算して観れば、Ｓ相波をもつ２ｅｉ値の正プラス帰環電力である。また、この正プラス帰環Ｓ相電力値２ｅｉは、二次Ｓ相出力巻線回路Ｄの出力両端了（１３と１４）間に、抵抗負荷Ｚを接続する事によるＳ相出力電力値２ｅｉに等しいので、入力交流電源（Ｐ）電力を得る事なく、抵抗負荷Ｚに交流電力を供給出来る実施例１の装置が成立するものである。【００３３】  なを，実施例１装置に於いても、入力電源（Ｐ）回路から入力される励磁電流による諸損失もあるが、出力電力に比しては、微少なので考慮の対象外としている。
【産業上の利用可能性】
【００３４】  近未来には、地球上のエネルギー源として最も重要視されてきた石油資源も枯渇するであろうとの予想も顕著になってきた現代においては、多くの地球人類に対して過不足なく、しかも容易に入手出来る新エネルキー源を求める困難さも痛感する時代に入っている。
過去の反省から、今後のエネルギー源は地球の環境も重視したクリーンなエネルギーが切望されている。本発明の電力生成法によれば、上記の悩みも全て解消するエネルギー源となると共に、更なる研究開発の礎として産業上の利用分野は益々広範になるものと思われる。
まず電機業界で製造される電気機器装置の心臓部といえる電源の構成装置、及び産業機器の動力源並びに陸海の交通機関の動力源に、また一層快適な生活を営む為の新製品の進出に応用される等、用途を広く求める事が出来る。
【図面の簡単な説明】
【００３５】
【図１】  本発明の説明に供する実施例１の電磁的回路構成図である。
【図２】  交流電圧相に於ける一次、二次の位相関係を対比的に示した省略線図（イ）であると共に、△−Ｙ結線変圧器５の一次巻線回路に誘発する電流位相との関係を明確化する線図（ロ）である。
【図３】  交流電圧相に於ける一次、二次の位相関係を対比的に示した省略線図（イ）であると共に、Ｙ−△結線変圧器４の一次巻線回路に誘発する電流位相との関係を明確化する線図（ハ）である。
【符号の説明】
【００３６】  １    正弦波三相交流入力Ｒ相電源端子
２    正弦波三相交流入力Ｓ相電源端子
３    正弦波三相交流入力Ｔ相電源端子
４    Ｙ−△結線三相変圧器
５    △−Ｙ結線三相変圧器
６    誘導変圧器（巻線数は１対１）
７    Ｙ−△結線三相変圧器の二次出力端子
８    Ｙ−△結線三相変圧器の二次出力端子
９    Ｙ−△結線三相変圧器の二次出力端子
１０    △−Ｙ結線三相変圧器の二次出力端子
１１    △−Ｙ結線三相変圧器の二次出力端子
１２    △−Ｙ結線三相変圧器の二次出力端子
１３    出力巻線回路の出力端子
１４    出力巻線回路の出力端子
１５    誘導変圧器の１巻線回路
１６    誘導変圧器の１巻線回路
１７    △−Ｙ結線の一次巻線に誘発する一次Ｓ相誘導電流ｓｉ
１８    Ｙ−△結線の一次巻線に誘発する一次Ｓ相誘導電流ｓｉ
【図１】
2008022689.tif 000003
【図２】
2008022689.tif 000004
【図３】
2008022689.tif 000005